(57)【要約】【課題】不審者から子供等の在宅中の人を保護するインターホンシステム、制御方法、及びプログラムを提供することを目的とする。【解決手段】インターホン子機１０１の呼出ボタン２０３が押下されると（ステップＳ４０１）、訪問者との通話を開始する前に、訪問者の通話許可を判定し（ステップＳ４０２）、通話が許可され、更に、住宅内部に在宅する者が、インターホン親機１０２を用いて応答する音声を解析して（ステップＳ４０９）、子供が応答しようとした場合は（ステップＳ４１０）、携帯電話端末１０３と訪問者とで通話を行う。【選択図】図４
2013131923.tif 000002
【特許請求の範囲】
【請求項１】
訪問者が住宅外部に備えられたインターホン子機を用いて、住宅内部に在宅する応答者が前記住宅内部に備えられたインターホン親機と通話可能なインターホンシステムであって、
インターホン親機は、
前記応答者が応答する際に発する音声を解析する解析手段と、
前記解析手段によって解析した音声によって、インターホン子機との通話が可能か否かを判定する判定手段と、
前記判定手段によってインターホン子機との通話が可能であると判定した場合、インターホン子機との通話可能とする制御手段と、
を備えたことを特徴とするインターホンシステム。
【請求項２】
前記インターホン親機は、前記判定手段によってインターホン子機との通話が不可であると判定した場合、インターホン子機と携帯電話端末との通話を確立する外部通信接続手段を備えたことを特徴とする請求項１に記載のインターホンシステム。
【請求項３】
前記インターホン子機は、訪問者を撮影する撮影手段を備え、
前記インターホン親機は、前記判定手段によってインターホン子機との通話が不可であると判定した場合、前記撮影手段によって撮影して得られた映像情報を携帯電話端末に転送する転送手段を備えることを特徴とする請求項１または２に記載のインターホンシステム。
【請求項４】
前記制御手段は、前記判定手段によってインターホン子機との通話が不可であると判定した後、所定時間内に応答者が応答する際に発する音声が通話可能と判定した場合、インターホン子機との通話可能とすることを特徴とする請求項１乃至３の何れか１項に記載のインターホンシステム。
【請求項５】
前記制御手段は、前記判定手段によってインターホン子機との通話が不可であると判定した場合、住宅に備えられた玄関ドアのロックを行うことを特徴とする請求項１乃至４の何れか１項に記載のインターホンシステム。
【請求項６】
前記インターホン子機は、訪問者の生体を識別する訪問者情報を取得する取得手段を備え、
前記インターホン親機は、前記訪問者情報を記憶する記憶手段を備え、
前記制御手段は、前記取得手段によって取得した訪問者情報が前記記憶手段に記憶されている場合、前記インターホン子機との通話を可能とする請求項１乃至４の何れか１項に記載のインターホンシステム。
【請求項７】
前記インターホン子機と前記インターホン親機を介して通話可能な携帯電話端末は、前記インターホン子機との通話を行う場合、前記記憶手段への前記訪問者情報の登録指示を行う指示手段を備え、
前記記憶手段は、前記指示手段によって登録指示がなされた場合、前記記憶手段へ前記訪問者情報を登録することを特徴とする請求項６に記載のインターホンシステム。
【請求項８】
訪問者が住宅外部に備えられたインターホン子機を用いて、住宅内部に在宅する応答者が前記住宅内部に備えられたインターホン親機と通話可能なインターホンシステムの制御方法であって、
インターホン親機において、
前記応答者が応答する際に発する音声を解析する解析ステップと、
前記解析ステップによって解析した音声によって、インターホン子機との通話が可能か否かを判定する判定ステップと、
前記判定ステップによってインターホン子機との通話が可能であると判定した場合、インターホン子機との通話可能とする制御ステップと、
を実行することを特徴とするインターホンシステムの制御方法。
【請求項９】
訪問者が住宅外部に備えられたインターホン子機を用いて、住宅内部に在宅する応答者が前記住宅内部に備えられたインターホン親機と通話可能なインターホンシステムであって、
インターホン親機を、
前記応答者が応答する際に発する音声を解析する解析手段と、
前記解析手段によって解析した音声によって、インターホン子機との通話が可能か否かを判定する判定手段と、
前記判定手段によってインターホン子機との通話が可能であると判定した場合、インターホン子機との通話可能とする制御手段と、
して機能させることを特徴とするプログラム。
【発明の詳細な説明】
【技術分野】
【０００１】
本発明は、不審者との通話を抑止することが可能なインターホンシステムに関する。
【背景技術】
【０００２】
近年の住宅においては、戸建、マンションを問わず外部からの訪問者に対して、インターホンを介して、通話を行うことによって相手を確認してからドアなどを開放することが通常となってきている。
【０００３】
しかしながら、共働きの家族が増加しており、両親が留守の間であっても、自宅には子供のみが残されて、両親の帰宅を待つような事態が増えている。
【０００４】
そのような場合、家に訪問してきた不審者と子供とが接触する可能性が生じ、子供が危険にさらされる可能性は十二分に存在する。インターホンを通して不審者の巧みな会話により、子供から身内の個人情報を抜き出されてしまうようなケースも存在し、親は、不審者の素性を知ることもなく、知らない間に、個人の情報が悪用されるという事件が起こり得る。
【０００５】
そこで、特許文献１には、訪問先の家人が留守中の場合であっても、要件がある家人との通話を可能にするシステムが記載されている。
【０００６】
また、特許文献２には、インターホンと指定した外出先の電話機を通して、訪問者とリアルタイムに会話することで訪問者に対して不在を悟らせないシステムが記載されている。
【先行技術文献】
【特許文献】
【０００７】
【特許文献１】特開２０１０−１１４６６３号公報
【特許文献２】特開平１１−２２０５４４号公報
【発明の概要】
【発明が解決しようとする課題】
【０００８】
しかしながら、特許文献１に記載のシステムでは、音声、キーワードを解析し、該当する転送先に転送するが、このシステムを実行する為には留守モードを設定する必要があり、留守モードを設定し忘れている場合には、このシステム自体が作動しない。
【０００９】
また、逆に留守モードの設定を解除し忘れた場合、家に在宅していてもインターホンではなく、登録電話に転送されてしまう。さらに、子供のみ在宅中の場合、子供が訪問者と接触してしまう可能性もある。
【００１０】
続いて、特許文献２のシステムでも特許文献１と同様に転送設定になっていなければシステム自体が作動せず、子供のみ在宅中の場合、子供が訪問者と接触してしまう可能性がある。また、子供が誤って設定を解除してしまうことも考えられる。
【００１１】
そこで、本発明の目的は、不審者から子供等の在宅中の人をより安全に保護するインターホンシステム、制御方法、及びプログラムを提供することを目的とする。
【課題を解決するための手段】
【００１２】
上記課題を解決するための第１の発明は、訪問者が住宅外部に備えられたインターホン子機を用いて、住宅内部に在宅する応答者が前記住宅内部に備えられたインターホン親機と通話可能なインターホンシステムであって、インターホン親機は、前記応答者が応答する際に発する音声を解析する解析手段と、前記解析手段によって解析した音声によって、インターホン子機との通話が可能か否かを判定する判定手段と、前記判定手段によってインターホン子機との通話が可能であると判定した場合、インターホン子機との通話可能とする制御手段と、を備えたことを特徴とするインターホンシステムである。
【００１３】
上記課題を解決するための第２の発明は、訪問者が住宅外部に備えられたインターホン子機を用いて、住宅内部に在宅する応答者が前記住宅内部に備えられたインターホン親機と通話可能なインターホンシステムの制御方法であって、インターホン親機において、前記応答者が応答する際に発する音声を解析する解析ステップと、前記解析ステップによって解析した音声によって、インターホン子機との通話が可能か否かを判定する判定ステップと、前記判定ステップによってインターホン子機との通話が可能であると判定した場合、インターホン子機との通話可能とする制御ステップと、を実行することを特徴とするインターホンシステムの制御方法である。
【００１４】
上記課題を解決するための第３の発明は、訪問者が住宅外部に備えられたインターホン子機を用いて、住宅内部に在宅する応答者が前記住宅内部に備えられたインターホン親機と通話可能なインターホンシステムであって、インターホン親機を、前記応答者が応答する際に発する音声を解析する解析手段と、前記解析手段によって解析した音声によって、インターホン子機との通話が可能か否かを判定する判定手段と、前記判定手段によってインターホン子機との通話が可能であると判定した場合、インターホン子機との通話可能とする制御手段と、して機能させることを特徴とするプログラムである。
【発明の効果】
【００１５】
本発明によれば、インターホンを介して訪問者への応答を行う人の音声を解析することによって、訪問者の特性とあわせて、通話を行うか否かを制御することで、不審者から子供等の在宅中の人を保護することができる、という効果を奏する。
【図面の簡単な説明】
【００１６】
【図１】本発明の実施形態に係るインターホンシステムの概略構成を示す構成図である。
【図２】本発明の実施形態に係るインターホンシステムのハードウェア構成を示すブロック図である。
【図３】本発明の実施形態に係る携帯電話端末のハードウェア構成を示すブロック図である。
【図４】本発明の実施形態に係るインターホンシステムにおける不審者との通話制御に関する処理を示すフローチャートである。
【図５】本発明における不審者との通話制御に関する処理で用いる各テーブルの構成例を示す構成図である。
【図６】本発明におけるインターホンのメニュー画面の構成を示す構成図である。
【図７】本発明におけるインターホンの転送先登録画面の構成を示す構成図である。
【図８】本発明におけるインターホンの転送設定画面の構成を示す構成図である。
【図９】本発明におけるインターホンの転送待ち時間設定画面の構成を示す構成図である。
【図１０】本発明におけるインターホンの許可者設定画面の構成を示す構成図である。
【図１１】本発明におけるインターホンの転送済・ドアロック画面の構成を示す構成図である。
【図１２】本発明における訪問者情報登録画面の構成を示す構成図である。
【図１３】本発明における携帯電話端末の着信画面の構成を示す構成図である。
【図１４】本発明における携帯電話端末の訪問者情報登録画面の構成を示す構成図である。
【発明を実施するための形態】
【００１７】
以下、図面を参照して、本発明の実施形態を詳細に説明する。
【００１８】
図１は、本発明の実施形態に係るインターホンシステムの概略構成の一例を示す構成図である。
【００１９】
インターホン子機１０１は、住宅外部に設定され、例えば、玄関先に設置されるインターホンの子機を示し、インターホン親機１０２は、住宅内部に設定され、インターホン子機１０１と接続されるインターホンの親機を示し、携帯電話端末１０３は、外部通信回線を通してインターホン親機１０２を介して訪問者と会話を行う携帯電話端末を示し、玄関ドア１０４は、住宅の玄関に備えられたドアを示しており、インターホンシステムは、これらの機器を含む構成となっている。
【００２０】
以下、図２を用いて、図１に示したインターホン子機１０１、インターホン親機１０２に適用可能なハードウェア構成について説明する。
【００２１】
図２は、インターホン子機１０１、インターホン親機１０２に適用可能なインターホンのハードウェア構成を示すブロック図であり、２０１は、インターホン子機１０１のブロック図を示し、２０２は、インターホン親機１０２のブロック図を示している。
【００２２】
図２において、２０３は、呼び出しボタンを示しており、訪問者によって押下された際に、子機接続部２０７に呼出ボタン２０３が押下されたことを通知するとともに、指紋センサも兼ねており、訪問者の指紋情報を同時に取得する。
【００２３】
２０４は、ＴＶカメラを示しており、住宅外部の情報、特に玄関先に訪問してきた訪問者を撮影し、インターホン親機１０２に撮影して得られた映像情報を送信する。
【００２４】
２０５は、マイクを示しており、住宅外部の音声を取得するとともに、特に訪問者が発した声等を取得し、２０６は、スピーカを示しており、住宅内部や転送後の携帯電話端末１０３からの音声を住宅外部の訪問者に伝える。
【００２５】
２０７は、子機接続部で、インターホン子機１０１及びインターホン親機１０２間での情報の中継を行う。
【００２６】
２０８は、ＲＯＭ（ReadOnlyMemory）を示しており、本システムのブートプログラムや各種制御プログラムが格納されている。
【００２７】
２０９は、ＲＡＭ（RandomAccessMemory）を示しており、中央処理演算装置であるＣＰＵ（CentralProcessingUnit）が動作する為のシステムワークメモリであり、プログラムを記録する為のプログラムメモリや指紋データ、音声データ、画像データ、及び通話の主体を変更するための携帯電話端末１０３の電話番号等を一時記録する為のメモリである。
【００２８】
２１０は、ＨＤＤ（ハードディスクドライブ）を示しており、システムを制御する為の各種プログラム、画像データ、音声データ、指紋データ等を格納する外部記憶装置である。
【００２９】
２１１は指紋解析部を示しており、呼出ボタン２０３において読み取った訪問者の指紋情報と予めＨＤＤ２１０等の記憶装置内部に記憶している指紋情報を照合し、照合結果をＣＰＵ２１４に伝える。
【００３０】
２１２は、音声解析部を示しており、住宅内部のマイクを通して取得した音声が子供であるかどうかの解析を行ったり、転送待ち時間内（詳細後述）に室内のマイクから応答した音声が許可者であるかどうかを解析し、照合結果をＣＰＵ２１４に伝える。
【００３１】
２１３は、バスを示しており、ＣＰＵ２１４と各装置との間で情報のやり取りを行い、２１４は、ＣＰＵを示しており、本システム全体を制御するプロセッサである。
【００３２】
２１５は、モニタＴＶを示しており、インターホン子機１０１のＴＶカメラ２０４で撮影して得られた映像情報の再生を行い、住宅内部の在宅者に表示したり、状況に応じたメッセージ画面を表示する。
【００３３】
２１６は、スピーカを示しており、インターホン子機１０１のマイク２０５からの音声を住宅内部に伝える。
【００３４】
２１７は、マイクを示しており、住宅内部からの音声を住宅外部のインターホン子機１０１を通して訪問者に伝えると共に、音声解析部２１２に対しても住宅内部からの音声を伝える。
【００３５】
２１８は、外部通信接続部を示しており、ＣＰＵ２１４によってＲＡＭ２０９から取得された転送先の電話番号を利用して、その電話番号との通信の接続を確立する。
【００３６】
２１９は、外部通信回線を示しており、携帯電話端末１０３との通信回線である。また、通話終了後、訪問者情報を登録するか否かの情報を受信する。
【００３７】
２２０は、ドア制御部を示しており、玄関に備えられたドアのロック、アンロックを制御する役割を担う。ロックされた場合、内側からアンロックしようとしても開けることはできないように制御することが可能である。
【００３８】
２２１は、画像編集部を示しており、TVカメラ２０４にて撮影して得られた映像情報を静止画に変換することで、携帯電話端末１０３へ当該映像情報を転送することが可能であり、携帯電話端末１０３の着信画面上に撮影して得られた映像が表示され、携帯電話端末１０３を携帯している、例えば、親等が訪問者を知ることができる。
【００３９】
本発明を実現するための後述する各種プログラムは、ＨＤＤ２１０に記録されており、必要に応じてＲＡＭ２０９にロードされることによりＣＰＵ２１４によって実行されるものである。
【００４０】
さらに、上記プログラムの実行時に用いられる定義ファイル及び各種情報テーブル等も、ＨＤＤ２１０に格納されており、これらについての詳細な説明も後述する。
【００４１】
次に、図３を用いて、図１に示した携帯電話端末１０３に適用可能なハードウェア構成について説明する。
【００４２】
図３は、３０１は、携帯電話端末１０３に適用可能なハードウェア構成の一例を示すブロック図である。
【００４３】
図３において、３０２は、通話装置を示しており、インターホン子機１０１にて発された訪問者の音声に関する音声情報を受信し、逆に応答した音声を取得し、インターホン親機１０２を介して、インターホン子機１０１から訪問者に伝える。
【００４４】
３０３は、モニタを示しており、着信時にインターホン親機１０２から送信された訪問者を撮影した映像を使用して着信画面（図１３、詳細後述）に表示し、インターホン子機１０１との通話終了時には訪問者に関する訪問者情報を登録する為の画面（図１４、詳細後述）を表示する。
【００４５】
３０４は、操作ボタンを示しており、着信時の通信接続確立、終了時の切断、ならびに訪問者情報を登録する際の登録操作を行う際に押下される。
【００４６】
３０５は、ＲＯＭを示しており、本システムのブートプログラムや各種制御プログラムが格納されている。
【００４７】
３０６は、ＲＡＭを示しており、ＣＰＵが動作する為のシステムワークメモリであり、データを一時記録する為のメモリである。
【００４８】
３０７は、バスを示しており、ＣＰＵと各装置との情報のやり取りをし、３０８は、ＣＰＵで、システム全体を制御するプロセッサである。
【００４９】
本発明を実現するための後述する各種プログラムは、ＲＯＭ３０５に記録されており、必要に応じてＲＡＭ３０６にロードされることによりＣＰＵ３０８によって実行されるものである。
【００５０】
以下、インターホンシステムにおける不審者との通話制御に関する処理を、図４に示すフローチャートを用いて説明する前に、本システムに必要な事前の登録処理について説明する。
【００５１】
まず、インターホン親機１０２を起動すると、図６に示すメニュー画面が表示される。
【００５２】
メニュー画面８００は、TVカメラ２０４にて撮影して得られた映像情報を携帯電話端末１０３に転送する際に必要な情報を事前に設定する為の画面であり、転送先の携帯電話端末１０３の電話番号を登録する際に押下するための転送先登録ボタン８０１を備えている。
【００５３】
転送先登録ボタン８０１を押下すると、図７に示す転送先番号登録画面９００が表示される。
【００５４】
転送先番号登録画面９００は、携帯電話端末１０３に映像情報を転送する為の電話番号を登録する為の画面であり、転送先番号登録を促すメッセージを表示するメッセージ表示エリア９０１、入力された電話番号を表示する電話番号エリア９０２、電話番号エリア９０２に表示された電話番号を転送先として登録する際に押下するための登録ボタン９０３を含んで構成される。
【００５５】
登録ボタン９０３が押下されることで、図５に示す転送設定テーブルに、映像情報の転送先の電話番号に関する転送先情報が登録される。登録完了後は、メニュー画面８００に遷移する。
【００５６】
転送設定テーブルは、映像情報を転送する為に必要な様々な転送先情報を保存しておく為のテーブルであり、図５に示すように、映像情報を転送するか否かを設定するための転送設定６０１、映像情報を撮影して即送信せずに待機してから送信する際の待機時間（詳細後述）を設定するための転送待ち時間６０２、映像情報の転送先の電話番号を示す転送先番号６０３を含んで構成される。
【００５７】
転送先番号登録画面９００では、転送先番号６０３を登録する。
【００５８】
メニュー画面８００は、映像情報を転送するか否かを設定する際に押下するための転送設定ボタン８０２を備えており、転送設定ボタン８０２が押下されると、図８に示す転送設定画面１０００が表示される。
【００５９】
転送設定画面１０００は、転送先番号登録画面９００を用いて登録済の電話番号に、映像情報の転送を行うか否かを指定させる為の画面であり、転送設定を行うかどうかを問うメッセージ表示エリア１００１、転送設定を行う際に押下するための「はい」ボタン１００２、転送設定を行わない際に押下するための「いいえ」ボタン１００３を含んで構成される。
【００６０】
「はい」ボタン１００２、「いいえ」ボタン１００３を押下することで、転送設定テーブルの転送設定６０１に転送設定あり／転送設定なしの情報が登録される。登録完了後は、メニュー画面８００に遷移する。
【００６１】
メニュー画面８００は、映像情報を撮影して即送信せずに待機してから送信する際の待機時間を設定する際に押下するための待ち時間設定ボタン８０３を備えており、待ち時間設定ボタン８０３を押下すると図９に示す転送待ち時間設定画面１１００が表示される。
【００６２】
転送待ち時間設定画面１１００は、携帯電話端末１０３に映像情報を転送する際に、転送を待機させる時間を設定する為の画面であり、待機時間設定を促すメッセージ表示エリア１１０１、入力された時間を表示する時間エリア１１０２、及び「登録」ボタン１１０３を含んで構成される。
【００６３】
「登録」ボタン１１０３が押下されると、転送設定テーブルの転送待ち時間６０２に転送待ち時間が登録される。登録完了後は、メニュー画面８００に遷移する。
【００６４】
尚、待機時間とは、例えば、住宅内部に在宅している子供が、訪問者に対して応答した際に、子供が応答した後、即、保護者が応答することも想定されるため、親等の子供の保護者が携帯している携帯電話端末１０３に、即、訪問者の映像情報を送信せずに、呼び鈴がならされてから所定時間経過後、携帯電話端末１０３に映像情報を転送するため、このような待機時間を保持している。所定時間に対する開示時間は、呼び鈴がならされた時間に限らず、各々設定が可能である。
【００６５】
また、転送設定テーブルは、１レコードのみ登録が可能なような構成を取っており、複数のレコードを登録することを不可としている。
【００６６】
メニュー画面８００は、住宅内部に在宅している者のうち、前述した待機時間中に、映像情報を携帯電話端末１０３に転送せず、後から通話を行う者に対して通話許可を行うか否かを選定する際に押下するための許可者設定ボタン８０４を備えており、許可者設定ボタン８０４が押下されると、図１０に示す許可者設定画面１２００が表示される。
【００６７】
映像情報を転送する直前の待機中に、住宅内部から応答がなされた場合、携帯電話端末１０３への映像情報の転送を中断するにあたり、応答を行う者によって、転送の中断を決定し、インターホン親機１０２において通話を許可するが、当許可を行うには、応答した者の発する音声によって決定を行う。
【００６８】
許可者設定画面１２００は、許可された者の音声を予め登録するための画面であり、音声の登録を促すメッセージ表示エリア１２０１、音声の登録を開始する際に押下するための「開始」ボタン１２０２、音声の登録を終了する際に押下するための「終了」ボタン１２０３を含んで構成される。
【００６９】
「開始」ボタン１２０２が押下されると、音声の録音を開始し、「終了」ボタン１２０３が押下されると、録音を終了し、図５に示す許可者情報テーブルに録音した音声に関する音声情報を登録する。
【００７０】
ただし、決められた時間を超えても「終了」ボタン１２０３を押下しなかった場合、その時点で録音は終了する。録音終了後は、メニュー画面８００に遷移する。
【００７１】
許可者情報テーブルは、携帯電話端末１０３への転送を中断することができる者の音声情報を保存しておく為のテーブルであり、音声情報を一意に識別するための番号等を示すＮｏ７０１、許可された者の音声情報を示す声紋データ７０２から構成される。
【００７２】
Ｎｏ７０１は、音声情報の登録時に昇順に採番した番号であり、声紋データ７０２は、許可者設定画面１２００で設定された音声情報が登録される。尚、許可者情報テーブルには、複数の許可された者の音声情報を登録することが可能である。
【００７３】
続いて、図４に示すフローチャートを用いて、インターホンシステムにおける不審者との通話制御に関する処理について説明する。
【００７４】
ステップＳ４０１では、訪問者によって、住宅外部のインターホン子機１０１の呼出ボタン２０３が押下されたか否かを判定し、押下されたと判定した場合、ステップＳ４０２へ処理を進める。押下されたと判定した場合、住宅外部の音声、特に訪問者が発した音声を、マイク２０５を介して取得し、呼出ボタン２０３に備えた指紋センサによって、訪問者の指紋に関する指紋情報を取得し、これらの取得した生体情報をインターホン親機１０２へ送信する。
【００７５】
ステップＳ４０２では、インターホン親機１０２において、図５に示す訪問者情報テーブルから登録済の指紋情報を取得し、ステップＳ４０１で取得した訪問者の指紋情報と一致する情報があるかどうかの解析を行う。
【００７６】
訪問者情報テーブルは、転送設定に関わらずインターホン親機１０２とインターホン子機１０１とで、直接通話を行うことを許可された訪問者に関する情報を保存しておく為のテーブルであり、図５に示すように、訪問者情報テーブルは、訪問者の指紋情報を一意に識別するための番号を示すＮｏ５０１、訪問者の指紋情報を示す指紋データ５０２を含んで構成される。
【００７７】
Ｎｏ５０１は、指紋情報を登録する時に昇順に採番した番号であり、指紋データ５０２は、後述するステップＳ４０６において登録された指紋情報が格納される。
【００７８】
訪問者情報テーブルには、複数の訪問者の指紋情報を登録することが可能であるが、1人の訪問者につき1データのみの登録を行えるように制御している。
【００７９】
ステップＳ４０３では、インターホン親機１０２において、ステップＳ４０２で取得した指紋情報が既に登録済であるか否かの判定を行う。尚、指紋情報を用いているが、訪問者の音声情報を訪問者情報テーブルに登録しておき、マイク２０５を介して発せられた訪問者の音声に関する音声情報と訪問者情報テーブルに登録された音声情報とを突き合わせて判定しても良い。
【００８０】
登録済であると判定した場合、ステップＳ４０４へ処理を進め、登録済みでないと判定した場合は、ステップＳ４０６へ処理を進める。
【００８１】
ステップＳ４０４では、インターホン親機１０２において、呼び鈴を住宅内部に鳴らし、ステップＳ４０５では、インターホン子機１０１とインターホン親機１０２とを通して訪問者と会話を行う。
【００８２】
ステップＳ４０６では、インターホン親機１０２において、訪問者の指紋情報が訪問者情報テーブルへ未登録であった場合、転送設定テーブルから転送先設定情報を取得し、訪問者情報テーブルに指紋情報の仮登録を行う。
【００８３】
ステップＳ４０７では、インターホン親機１０２において、ステップＳ４０６で取得した転送先設定情報の転送設定６０１が、転送設定なしの場合、ステップＳ４０８へ処理を進め、転送設定ありの場合、ステップＳ４１６へ処理を進める。
【００８４】
但し、転送設定についは、特に設定せずに全て転送するような態様を取ることも可能であり、その場合、本ステップの処理を実行せず、ステップＳ４０８へ処理を進めることで、あらかじめ転送設定をしていなくても転送することが可能となる。これによって転送設定のし忘れをした場合も、不審者との通話から子供等の在宅者を保護することも可能である。
【００８５】
ステップＳ４０８では、インターホン親機１０２において、呼び鈴を住宅内部に鳴らす。
【００８６】
ステップＳ４０９では、インターホン親機１０２において、住宅内部からマイク２１７を介して応答した音声を取得し、応答した音声が子供の音声であるかどうかの解析を行う。
【００８７】
ステップＳ４１０では、ステップＳ４０９で取得した音声が子供であるか否かを判定し、子供であると判定した場合、ステップＳ４１１へ処理を進め、子供でないと判定した場合、ステップＳ４１４へ処理を進める。子供であるか否かの判定に関しては、子供が発する音声に関する音声情報に関して特徴値を定めておき、取得した音声との類似度や確率を求めることで判定を行う従来技術を適用しても良いし、ＨＤＤ２１０に子供が発する音声に関する音声情報を登録しておき、登録しておいた音声情報と取得した音声の音声情報との類似度等から判定しても良い。
【００８８】
ステップＳ４１１では、子供でなかった場合、インターホン親機１０２とインターホン子機１０１とで通話を行う。
【００８９】
インターホン親機１０２及びインターホン子機１０１での通話が終了後、訪問者の指紋情報を訪問者情報テーブルに登録するための図１２に示す訪問者情報登録画面をインターホン親機１０２のモニタＴＶ２１５へ表示する。
【００９０】
訪問者情報登録画面１４００は、訪問者の指紋情報を訪問者情報テーブルに本登録するか否かを決定する為の画面であり、登録を行うか否かを問い合わせるメッセージを表示するメッセージ表示エリア１４０１、本登録を行う際に押下するための「はい」ボタン１４０２、本登録を行わない際に押下するための「いいえ」ボタン１４０２を含んで構成される。
【００９１】
ステップＳ４１２では、インターホン親機１０２において、「はい」ボタン１４０２が押下された場合、ステップＳ４０６において、訪問者情報テーブルに仮登録していた訪問者の指紋情報を本登録し、「いいえ」ボタン１４０３が押下された場合、ステップＳ４１３へ処理を進め、ステップＳ４０６において、訪問者情報テーブルに仮登録していた訪問者の指紋情報を削除する。
【００９２】
ステップＳ４１４では、住宅内部から応答した音声が子供と判断された場合、インターホン親機１０２において、転送設定テーブルに保存されている転送待ち時間６０２を取得し、所定の時間まで待機をする。所定の時間の開始時間については、インターホン子機１０１の呼出ボタン２０３が押下された時刻を取得して開始時間としても良いし、呼び鈴が鳴らされた時刻を取得して開始時間としても良いし、訪問者から音声が発せられた時刻や住宅内部から応答がなされた時刻としても良く、適当な時刻を基準として開始時間として定めることが可能である。
【００９３】
ステップＳ４１５では、インターホン親機１０２において、所定時間内、つまり待機中の場合、住宅内部から応答された音声が許可者テーブルに登録された音声情報と一致しているか否かを判定し、待機中に音声情報が一致すると判定した場合、ステップＳ４１１へ処理を進め、所定時間を超えた、あるいは待機中に音声情報が一致しないと判定した場合、ステップＳ４１６へ処理を進める。
【００９４】
ステップＳ４１６では、インターホン親機１０２において、転送設定テーブルの転送先番号６０３を取得し、外部通信回線２１９を介して、取得した電話番号から特定される携帯電話端末１０３に映像情報を転送する。
【００９５】
転送先の携帯電話端末１０３では、訪問者の映像をモニタ３０３に表示された着信画面１５００（図１３参照）へ表示する。
【００９６】
図１３に示す着信画面１５００は、インターホン親機１０２から外部通信回線２１９を介して、映像情報が転送された際の携帯電話端末１０３の着信画面であり、訪問者の映像を表示するエリア１５０１から構成される。
【００９７】
ステップＳ４１７では、インターホン親機１０２において、ステップＳ４１６の処理と同時に、ドア制御部２２０によって玄関ドア１０４をロックして、住宅内部からでも玄関ドア１０４が開けられないようにし、転送済・ドアロック画面（図１１参照）を表示する。
【００９８】
図１１に示す転送済・ドアロック画面１３００は、転送先の電話番号へ映像情報を転送し、携帯電話端末１０３と、インターホン親機１０２を介してインターホン子機１０１と、の接続が開始され、住宅内部から玄関ドア１０４が開けられないようにロックされていることを住宅内部の在宅者に通知する為の画面であり、映像情報が転送済で玄関ドア１０４が開けられないようになっていることを通知するメッセージ表示エリア１３０１から構成される。
【００９９】
従って、玄関ドア１０４もロックしてしまう為、インターホンを通してだけでなく、子供が訪問者との直接の接触を避けることもできる。
【０１００】
ステップＳ４１８では、携帯電話端末１０３と訪問者が向かっているインターホン子機１０１との応答を中継し、ステップＳ４１１では、通話を行う。
【０１０１】
従って、訪問者に子供のみが在宅していることを知らせずに、親は子供のみ在宅していても外部から家に訪れた訪問者を知ることができる。また、子供と訪問者とを会話させない為、訪問者との会話による接触を避け、身内の個人情報等を知られる危険を回避することができる。
【０１０２】
通話終了後、訪問者の情報を訪問者情報テーブルに登録するか否かの登録画面（図１４参照）を表示し、ステップＳ４１２、ステップＳ４１３の処理を行う。
【０１０３】
図１４に示す訪問者情報登録画面１６００は、訪問者の指紋情報を訪問者情報テーブルに本登録するか否かを決定する為の画面であり、訪問者の指紋情報の登録を行うか否かを問い合わせるメッセージを表示するエリア１６０１、訪問者の指紋情報を登録する際に押下するための「はい」ボタン１６０２、訪問者の指紋情報を登録しない際に押下するための「いいえ」ボタン１６０３から構成される。
【０１０４】
「はい」ボタン１６０２が押下された場合、ステップＳ４０６において訪問者情報テーブルに仮登録していた訪問者の指紋情報を本登録し、「いいえ」ボタン１６０３が押下された場合、訪問者情報テーブルに仮登録していた訪問者の指紋情報を削除する。
【０１０５】
尚、前述したように、本発明では、訪問者の指紋情報を訪問者情報テーブルへ登録しているが、訪問者の音声情報を登録することも可能であり、この場合、指紋情報の登録と同様に、まず、訪問者の音声情報を仮登録しておき、後程、本登録を行う。
【０１０６】
以上、本発明に依れば、インターホンを介して訪問者への応答を行う人の音声を解析することによって、訪問者の特性とあわせて、通話を行うか否かを制御することで、不審者から子供等の在宅中の人を保護することができる。
【０１０７】
また、本発明は、例えば、方法、プログラムもしくは記憶媒体等としての実施態様をとることが可能である。
【０１０８】
この場合、記録媒体から読み出されたプログラム自体が本発明の新規な機能を実現することになり、そのプログラムを記憶した記録媒体は本発明を構成することになる。プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることができる。
【０１０９】
また、各機器によって読み出したプログラムを実行することにより、前述した実施形態の機能が実現されるだけでなく、そのプログラムの指示に基づき、撮影装置で稼働しているＯＳ等が実際の処理の一部または全部を行い、その処理によって前述した実施形態の機能が実現される場合も含まれることは言うまでもない。
【０１１０】
さらに、記録媒体から読み出されたプログラムが、各機器に備わるメモリに書き込まれた後、そのプログラムコードの指示に基づき、その各機器に備わるＣＰＵ等が実際の処理の一部または全部を行い、その処理によって前述した実施形態の機能が実現される場合も含まれることは言うまでもない。
【０１１１】
また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１１２】
さらに、本発明を達成するためのプログラムをネットワーク上のサーバ、データベース等から通信プログラムによりダウンロードして読み出すことによって、そのシステム、あるいは装置が、本発明の効果を享受することが可能となる。なお、上述した各実施形態およびその変形例を組み合わせた構成も全て本発明に含まれるものである。
【符号の説明】
【０１１３】
１０１    インターホン子機
１０２    インターホン親機
１０３    携帯電話端末
１０４    玄関ドア
２０１    インターホン子機
２０２    インターホン親機
２０３    呼び出しボタン（指紋センサ内蔵）
２０４    ＴＶカメラ
２０５    子機マイク
２０６    子機スピーカ
２０７    子機接続部
２０８    ＲＯＭ
２０９    ＲＡＭ
２１０    ＨＤＤ
２１１    指紋解析部
２１２    音声解析部
２１３    バス
２１４    ＣＰＵ
２１５    モニタＴＶ
２１６    親機スピーカ
２１７    親機マイク
２１８    外部通信接続部
２１９    外部通信回線
２２０    ドア制御部
２２１    画像編集部
３０１    携帯電話端末
３０２    通話装置
３０３    モニタ
３０４    操作ボタン
３０５    ＲＯＭ
３０６    ＲＡＭ
３０７    バス
３０８    ＣＰＵ
【図１】
2013131923.tif 000003
【図２】
2013131923.tif 000004
【図３】
2013131923.tif 000005
【図４】
2013131923.tif 000006
【図５】
2013131923.tif 000007
【図６】
2013131923.tif 000008
【図７】
2013131923.tif 000009
【図８】
2013131923.tif 000010
【図９】
2013131923.tif 000011
【図１０】
2013131923.tif 000012
【図１１】
2013131923.tif 000013
【図１２】
2013131923.tif 000014
【図１３】
2013131923.tif 000015
【図１４】
2013131923.tif 000016